(57)【要約】【課題】インナデッキのスカートガード側の端部が上方向への外力を受けても、インナデッキのスカートガード側の端部がスカートガードの上部から外れることを抑制することができる乗客コンベアの欄干装置を得る。【解決手段】踏段２の側面に対向して設けられたスカートガード３と、欄干パネル４の下部とスカートガード３の上部との間に設けられ、欄干パネル４側の端部が、主枠１に固定された上部固定部１６に固定され、スカートガード３側の端部がスカートガード３の上部に踏段２側から接触したインナデッキ５と、主枠１に支持され、インナデッキ５が上方へ移動することを規制する移動規制手段６とを備え、インナデッキ５は、踏段２から離間する方向に突出した突出部５ｂを有し、移動規制手段６は、突出部５ｂの上面に当接することで突出部５ｂを係止する係止部６ｂを有している。【選択図】図１
2009280351.tif 000002
【特許請求の範囲】
【請求項１】
主枠と、
前記主枠の上部に立設された欄干パネルと、
踏段の側面に対向して設けられたスカートガードと、
前記欄干パネルの下部と前記スカートガードの上部との間に設けられ、前記欄干パネル側の端部が、前記主枠に固定されたインナデッキ固定手段に固定され、前記スカートガード側の端部が前記スカートガードの前記上部に前記踏段側から接触したインナデッキと、
前記主枠に支持され、前記インナデッキが上方へ移動することを規制する移動規制手段とを備え、
前記インナデッキは、踏段から離間する方向に突出した突出部を有し、
前記移動規制手段は、前記突出部の上面に当接することで前記突出部を係止する係止部を有していることを特徴とする乗客コンベアの欄干装置。
【請求項２】
前記移動規制手段は、前記インナデッキを挟持する挟持部を有していることを特徴とする請求項１に記載の乗客コンベアの欄干装置。
【請求項３】
前記突出部は、前記インナデッキの長手方向の全長に渡って設けられていることを特徴とする請求項１または請求項２に記載の乗客コンベアの欄干装置。
【請求項４】
前記インナデッキの前記スカートガード側の端部には、前記インナデッキととともに前記スカートガードの前記上部を挟持する挟持体が設けられていることを特徴とする請求項１ないし請求項３の何れか１項に記載の乗客コンベアの欄干装置。
【発明の詳細な説明】
【技術分野】
【０００１】
この発明は、踏段の側面に対向して設けられたスカートガードと、欄干パネルの下部とスカートガードの上部との間に設けられたインナデッキとを備えた乗客コンベアの欄干装置に関する。
【背景技術】
【０００２】
従来、踏段の側面に対向して設けられたスカートガードと、欄干パネルの下部と前記スカートガードの上部との間に設けられ、前記欄干パネル側の端部が、前記主枠に固定されたインナデッキ固定手段に固定され、前記スカートガード側の端部が、前記スカートガードの前記上部を両側面から挟持した挟持部を有したインナデッキとを備えたエスカレータの欄干装置が知られている（例えば、特許文献１参照）。
【０００３】
【特許文献１】特開２００７−３１１１３号公報
【発明の開示】
【発明が解決しようとする課題】
【０００４】
しかしながら、このものの場合、例えば、乗客の蹴り上げにより、インナデッキのスカートガード側の端部が上方向への外力を受けることで、インナデッキの挟持部がスカートガードの上部から外れて、インナデッキのスカートガード側の端部がスカートガードの上部から外れてしまう恐れがあるという問題点があった。
【０００５】
この発明は、上述のような問題点を解決することを課題とするものであって、その目的は、インナデッキのスカートガード側の端部が上方向への外力を受けても、インナデッキのスカートガード側の端部がスカートガードの上部から外れることを抑制する乗客コンベアの欄干装置を提供するものである。
【課題を解決するための手段】
【０００６】
この発明に係る乗客コンベアの欄干装置は、主枠と、前記主枠の上部に立設された欄干パネルと、踏段の側面に対向して設けられたスカートガードと、前記欄干パネルの下部と前記スカートガードの上部との間に設けられ、前記欄干パネル側の端部が、前記主枠に固定されたインナデッキ固定手段に固定され、前記スカートガード側の端部が前記スカートガードの前記上部に前記踏段側から接触したインナデッキと、前記主枠に支持され、前記インナデッキが上方へ移動することを規制する移動規制手段とを備え、前記インナデッキは、踏段から離間する方向に突出した突出部を有し、前記移動規制手段は、前記突出部の上面に当接することで前記突出部を係止する係止部を有している。
【発明の効果】
【０００７】
この発明に係る乗客コンベアの欄干装置によれば、インナデッキのスカートガード側の端部が上方向への外力を受けた場合であっても、移動規制手段の係止部がインナデッキの突出部の上面に当接することで突出部を係止してインナデッキが上方へ移動することを規制するので、インナデッキのスカートガード側の端部がスカートガードの上部から外れることを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエスカレータの欄干装置を示す断面図、図２は図１のスカートガード３、インナデッキ５および移動規制手段６を示す分解斜視図、図３は図２の移動規制手段６を示す斜視図である。
この実施の形態に係る乗客コンベアであるエスカレータの欄干装置は、主枠１と、踏段２の側面に対向して設けられたスカートガード３と、主枠１の上部に立設された欄干パネル４と、この欄干パネル４の下部とスカートガード３の上部との間に設けられたインナデッキ５と、主枠１に支持された、インナデッキ５が上方へ移動することを規制する移動規制手段６とを備えている。
【０００９】
主枠１は、エスカレータの長手方向に延びた上弦枠１ａおよび下弦枠（図示せず）と、上弦枠１ａと下弦枠との間を連結した縦枠１ｂとを有している。
上弦枠１ａには、踏段２側に向かって延びた上側スカートアングル取付部７が固定されており、この上側スカートアングル取付部７には、断面Ｌ字形状に形成された上側スカートアングル８の一端部が締結手段９を介して固定されている。
上側スカートアングル８の他端部は、上方に伸びており、スカートガード３の上部の反踏段２側の面に接触している。
縦枠１ｂには、踏段２側に向かって延びた下側スカートアングル取付部１０が固定されており、この下側スカートアングル取付部１０には、断面Ｌ字形状に形成された下側スカートアングル１１の一端部が締結手段１２を介して固定されている。
下側スカートアングル１１の他端部は、上方に延びており、スカートガード３の下部の反踏段２の面に接触している。
【００１０】
スカートガード３、インナデッキ５、上側スカートアングル８および下側スカートアングル１１は、エスカレータの長手方向の全長に渡って、複数個設けられている。
スカートガード３の繋目、インナデッキ５の繋目および上側スカートアングル８の繋目は、それぞれが一致するように、スカートガード３、インナデッキ５および上側スカートアングル８が配置されている。
なお、スカートガード３、インナデッキ５および上側スカートアングル８の配置は、勿論このものに限らない。
【００１１】
スカートガード３は、上部がネジ１３およびナット１４を介して上側スカートアングル８に固定され、下部に下側スカートアングル１１を挟持したクリップ部３ａを有している。
また、スカートガード３は、上側スカートアングル８および下側スカートアングル１１と接触した面とは反対側の面が踏段２の側面に対向するように配置されており、スカートガード３の上部は、踏段２から離間する方向に段差が形成された段差部３ｂを有している。
【００１２】
欄干パネル４は、下部が欄干パネル押さえ板１５により保持されており、この欄干パネル押さえ板１５は、主枠１に固定された固定体（図示せず）に固定されて支持されている。
【００１３】
インナデッキ５は、欄干パネル４の下部とスカートガード３の上部との間に設けられたインナデッキ本体５ａと、このインナデッキ本体５ａに設けられた、踏段２から離間する方向に突出した突出部５ｂとを有している。
インナデッキ本体５ａは、欄干パネル４側の端部が、主枠１に固定されたインナデッキ固定手段である上部固定部１６にネジ１７を介して固定され、スカートガード３側の端部が、スカートガード３の上部の段差部３ｂに踏段２側から接触している。
インナデッキ本体５ａがスカートガード３の段差部３ｂに踏段２側から接触しているので、スカートガード３の上部に取り付けられたネジ１３の頭部が隠蔽され、乗客の衣類等にネジ１３が引っかかることを防止することができる。
また、インナデッキ本体５ａがスカートガード３の段差部３ｂに踏段２側から接触しているので、インナデッキ５を欄干パネル４の下部とスカートガード３の上部との間に取り付けたままで、踏段２の着脱を行うことができる。
突出部５ｂは、断面くの字形状の板をインナデッキ本体５ａの長手方向の全長に渡って溶接または接着により固定することで形成されている。
【００１４】
移動規制手段６は、欄干パネル押さえ板１５に締結手段１８を介して固定されて支持されており、断面Ｌ字形状のインナデッキ取付ブラケット本体６ａと、このインナデッキ取付ブラケット本体６ａの長手方向の中央に固定された、突出部５ｂの上面に当接することで突出部５ｂを係止する係止部６ｂと、インナデッキ取付ブラケット本体６ａの長手方向に係止部６ｂを挟んで固定された、インナデッキ取付ブラケット本体６ａとともに突出部５ｂを挟持する一対のクリップ部６ｃとを有している。
なお、移動規制手段６は、欄干パネル押さえ板１５に限らず、主枠１に固定されたその他の部材に固定されて支持されてもよい。
インナデッキ取付ブラケット本体６ａは、締結手段１８を緩めることで、欄干パネル押さえ板１５との相対位置を上下方向に調整可能となっている。
インナデッキ取付ブラケット本体６ａとクリップ部６ｃとから挟持部が構成されている。
また、移動規制手段６は、隣接したインナデッキ５の繋目を跨いで設けられている。
一方のクリップ部６ｃが隣接した一方のインナデッキ５の突出部５ｂを挟持し、他方のクリップ部６ｃが隣接した他方のインナデッキ５の突出部５ｂを挟持し、係止部６ｂが隣接したインナデッキ５の突出部５ｂの両方を係止している。
これにより、隣接したインナデッキ５の繋目で段差が形成されることを防止することができる。
【００１５】
図４は図１のエスカレータの欄干装置の要部を示す拡大図である。
欄干パネル４の下部には、ネジ１７を上部から覆ったインナパッキング１９が取り付けられている。
インナパッキング１９は、欄干パネル４の下部であってネジ１７以外の箇所に設けられたインナパッキングベース１９ａと、インナデッキ５の長手方向の全長に渡って設けられた、インナパッキングベース１９ａに嵌合されることで、ネジ１７を隠蔽するインナパッキング本体１９ｂとから構成されている。
これにより、インナデッキ５の踏段２側の空間にネジ１７の頭部が露出することが防止されるので、意匠性に優れ、また、乗客の衣類等がネジ１７に引っかかることを防止することができる。
【００１６】
次に、この実施の形態に係るエスカレータの欄干装置の組立手順について説明する。
まず、スカートガード３のクリップ部３ａが下側スカートアングル１１を挟持するように、スカートガード３を下側スカートアングル１１に上方から差し込む。
次に、スカートガード３に形成された貫通孔および上側スカートアングル８に形成されたスリットに、踏段２側からネジ１３を差し込んで貫通させ、このネジ１３の先端にナット１４を螺着させる。
これにより、スカートガード３が上側スカートアングル８および下側スカートアングル１１に固定される。
【００１７】
次に、図５に示すように、インナデッキ５を、踏段２から水平に離間する方向に移動させて、インナデッキ取付ブラケット本体６ａと係止部６ｂとの間、および、インナデッキ取付ブラケット本体６ａとクリップ部６ｃとの間に突出部５ｂを挿入する。
このとき、突出部５ｂは、インナデッキ本体５ａの長手方向の全長に渡って形成されているので、作業者は移動規制手段６のエスカレータの長手方向の位置を調整する必要がない。
係止部６ｂが突出部５ｂの上面に当接することで突出部５ｂを係止するので、インナデッキ５が上方へ移動することが規制される。
インナデッキ取付ブラケット本体６ａとクリップ部６ｃとが突出部５ｂを挟持するので、インナデッキ５が水平方向へ移動することが抑制される。
【００１８】
次に、インナデッキ本体５ａの欄干パネル４側の端部を上部固定部１６にネジ１７を介して固定する。
これにより、インナデッキ５が水平方向へ移動することを規制することができる。
最後に、インナパッキングベース１９ａをインナデッキ本体５ａの欄干パネル４側の端部であって、ネジ１７以外の箇所に取り付け、さらに、インナパッキングベース１９ａにインナパッキング本体１９ｂを嵌合して、ネジ１７を隠蔽する。
【００１９】
以上説明したように、この実施の形態に係るエスカレータの欄干装置によれば、係止部６ｂが突出部５ｂの上面に当接することで突出部５ｂを係止し、インナデッキ５が上方へ移動することが規制されるので、インナデッキ５のスカートガード３側の端部が上方向への外力を受けても、インナデッキ５のスカートガード３側の端部がスカートガード３の上部から外れることを抑制することができる。
また、インナデッキ５を踏段２へ水平に近づく方向に移動させることで、係止部６ｂが突出部５ｂを係止することが簡単に解除されるので、容易にインナデッキ５を欄干パネル４の下部とスカートガード３の上部との間から取り外すことができる。
また、インナデッキ５を踏段２へ水平に近づく方向に移動させてインナデッキ５を欄干パネル４の下部とスカートガード３の上部との間から取り外すので、複数個のインナデッキ５の内、取り外したいインナデッキ５のみを容易に取り外すことができる。
【００２０】
また、インナデッキ取付ブラケット本体６ａとクリップ部６ｃとが突出部５ｂを挟持するので、インナデッキ５が踏段２へ水平に近づく方向に移動することを抑制することができる。
【００２１】
また、突出部５ｂがインナデッキ本体５ａの長手方向の全長に渡って設けられているので、インナデッキ５の断面二次モーメントを増強させることができる。
その結果、乗客等がインナデッキ５を踏みつけた場合であっても、インナデッキ５が撓むことを抑制することができ、耐久性を向上させることができる。
【００２２】
なお、上記実施の形態では、インナデッキ取付ブラケット本体６ａに固定された係止部６ｂについて説明したが、勿論このものに限らず、例えば、図６に示すように、インナデッキ取付ブラケット本体６ａから折曲されて一体に形成された係止部６ｂであってもよい。
【００２３】
実施の形態２．
図７はこの実施の形態に係るエスカレータの欄干装置を示す断面図、図８は図７のスカートガード３、インナデッキ５、移動規制手段６およびクリップ２０を示す分解斜視図である。
この実施の形態に係るエスカレータの欄干装置は、インナデッキ本体５ａのスカートガード３側の端部に取り付けられた、インナデッキ本体５ａとともにスカートガード３の上部を挟持する挟持体であるクリップ２０をさらに備えている。
これにより、インナデッキ本体５ａとスカートガード３との相対位置が決定される。
その他の構成は実施の形態１と同様である。
【００２４】
インナデッキ５を移動規制手段６に取り付ける場合には、図９（ａ）〜（ｃ）に示すように、クリップ２０の下部をスカートガード３の上部に押し当ててインナデッキ５を踏段２から水平に離間する方向に移動させて、クリップ２０を弾性変形させる。
インナデッキ５が、インナデッキ本体５ａのスカートガード３側の端部とスカートガード３の上部とが接触する位置まで移動することで、スカートガード３によるクリップ２０の押圧が解除され、インナデッキ本体５ａとクリップ２０とにより、スカートガード３の上部が挟持される。
インナデッキ５を取り外す場合には、インナデッキ本体５ａとクリップ２０とによりスカートガード３の上部の挟持する力より強い力で、インナデッキ５を踏段２へ水平に近づく方向に移動させる。
【００２５】
以上説明したように、この実施の形態に係るエスカレータの欄干装置によれば、インナデッキ本体５ａのスカートガード３側の端部には、インナデッキ本体５ａとともにスカートガード３の上部を挟持するクリップ２０をさらに備えているので、インナデッキ本体５ａのスカートガード３側の端部が上方向への外力を受けても、インナデッキ本体５ａのスカートガード３側の端部がスカートガード３の上部から外れることを抑制することができ。
また、インナデッキ本体５ａとクリップ２０とがスカートガード３の上部を挟持するので、スカートガード３が水平方向への外力を受けても、スカートガード３が水平方向へ移動することを抑制することができる。
また、インナデッキ本体５ａとクリップ２０とがスカートガード３の上部を挟持するので、インナデッキ５が上方向への外力を受けても、インナデッキ５が上方向へ移動することを抑制することができる。
【００２６】
なお、上記各実施の形態では、乗客コンベアとしてエスカレータを例に説明したが、勿論このものに限らず、例えば、動く歩道であってもよい。
【図面の簡単な説明】
【００２７】
【図１】この発明の実施の形態１に係るエスカレータの欄干装置を示す断面図である。
【図２】図１のスカートガード、インナデッキおよび移動規制手段を示す分解斜視図である。
【図３】図２の移動規制手段を示す斜視図である。
【図４】図１のエスカレータの欄干装置の要部を示す拡大図である。
【図５】図１のインナデッキを移動規制手段に係止させる様子を示す側面図である。
【図６】この発明の実施の形態１に係るエスカレータの欄干装置の移動規制手段の他の例を示す斜視図である。
【図７】この発明の実施の形態２に係るエスカレータの欄干装置を示す断面図である。
【図８】図７のスカートガード、インナデッキ、移動規制手段およびクリップを示す分解斜視図である。
【図９】図９（ａ）はインナデッキを欄干パネルの下部とスカートガードの上部との間に取り付ける前のインナデッキのスカートガード側の端部とスカートガードの上部とを示す側面図、図９（ａ）はインナデッキを欄干パネルの下部とスカートガードの上部との間に取り付ける途中のインナデッキのスカートガード側の端部とスカートガードの上部とを示す側面図、図９（ａ）はインナデッキを欄干パネルの下部とスカートガードの上部との間に取り付けた後のインナデッキのスカートガード側の端部とスカートガードの上部とを示す側面図である。
【符号の説明】
【００２８】
１  主枠、１ａ  上弦枠、１ｂ  縦枠、２  踏段、３  スカートガード、３ａ  クリップ部、３ｂ  段差部、４  欄干パネル、５  インナデッキ、５ａ  インナデッキ本体、５ｂ  突出部、６  移動規制手段、６ａ  インナデッキ取付ブラケット本体、６ｂ  係止部、６ｃ  クリップ部、７  上側スカートアングル取付部、８  上側スカートアングル、９  締結手段、１０  下側スカートアングル取付部、１１  下側スカートアングル、１２  締結手段、１３  ネジ、１４  ナット、１５  欄干パネル押さえ板、１６  上部固定部、１７  ネジ、１８  締結手段、１９  インナパッキング、１９ａ  インナパッキングベース、１９ｂ  インナパッキング本体、２０  クリップ。
【図１】
2009280351.tif 000003
【図２】
2009280351.tif 000004
【図３】
2009280351.tif 000005
【図４】
2009280351.tif 000006
【図５】
2009280351.tif 000007
【図６】
2009280351.tif 000008
【図７】
2009280351.tif 000009
【図８】
2009280351.tif 000010
【図９】
2009280351.tif 000011